(57)【要約】【課題】本発明は、ＰＣＬカメラに高容量かつノイズの少ない安定した電源電力を供給可能とすることを目的とする。【解決手段】視野内を撮像して映像信号を出力するカメラ部と、カメラ部に電源電力を供給する電源供給装置と、カメラ部の映像信号を受信し画像処理しかつ上記カメラ部を制御する画像処理装置とを備えた映像伝送システムにおいて、電源供給装置は、信号と電源とを伝達する第１のケーブルを経由してカメラ部に電源電力を供給する電源供給装置であって、カメラ部が取得した映像を第１のケーブルと電源供給装置とを経由して受信し、画像処理装置に伝達する第２のケーブルとを備える。【選択図】図３
2008312108.tif 000002
【特許請求の範囲】
【請求項１】
カメラ部と、上記カメラ部に電源電力を供給する電源供給装置と、上記カメラ部の出力信号を受信し上記カメラ部を制御する制御部とを備えた映像伝送システムにおいて、
上記制御部から出力される制御信号は、上記電源供給装置を介して上記カメラ部を制御することを特徴とする映像伝送システム。
【発明の詳細な説明】
【技術分野】
【０００１】
本発明は、映像伝送システムに関わり、特にパワーオーバーカメラリンク対応カメラの電源供給に関する。
【背景技術】
【０００２】
以下、従来のミニカメラリンクカメラ（以下、ＳＣＬカメラと称する）を用いたシステムの一実施例について説明する。図１は、ＳＣＬカメラを用いたシステムの構成を示すブロック図である。1 はＳＣＬカメラ、2 はＳＣＬケーブル（信号線用）、3 はＳＣＬ対応画像処理装置、3-1 はＳＣＬ対応画像処理装置 3 内に組込まれているＳＣＬ対応画像処理ボード、4 は１２ピンカメラケーブル（電源用）、5 は電力を供給するジャンクションボックスである。
【０００３】
図１において、ジャンクションボックス 5 は、電源（例えば、ＡＣ電源１００［Ｖ］若しくは２００［Ｖ］又はＤＣ２４［Ｖ］、等）を受け、ＳＣＬカメラ 1 が駆動するための所定の電圧（例えば、ＤＣ１２［Ｖ］）に変換してカメラケーブル 4 を経由してＳＣＬカメラ 1 に電力を供給する。電力を供給されたＳＣＬカメラ 1 は、視野内を撮像して画像を取得し、取得した映像信号に変換してＳＣＬケーブル 2 を経由してＳＣＬ対応画像処理装置 3 に出力する。
ＳＣＬ対応画像処理装置 3 は、内蔵するＳＣＬ対応画像処理ボード（例えば、フレームグラバーボード）3-1 で画像を取り込み、所定の画像処理を行ない、図示しない表示部に処理結果やその画像を表示する。
【０００４】
また、ＳＣＬ対応画像処理装置 3 は、制御部でもあり、図示しない入出力ユニットをユーザが操作することによって出力される制御信号、若しくは、あらかじめ定められた実行プログラムに従って出力される制御信号を、ＳＣＬケーブル 2 を経由してＳＣＬカメラ 1 に出力する。ＳＣＬカメラ 1 は、入力された制御信号に従って動作する。なお、ＳＣＬ対応画像処理装置 3 は、図示しないＡＣ電源から電力の供給を受けている。
なお、上述のＳＣＬカメラは、例えばＦＡカメラとして使用される（例えば、特許文献１参照）。
【０００５】
上述の従来技術では、２本のケーブルを必要とするので、コストが高く、配線引回し等のスペース余裕が小さくなる。
信号線に信号と電源電力を重畳させて使用する技術は、例えば、特許文献２のように開示があるが、カメラリンクインタフェースを用いたシステムではそのままでは使用できない。
【０００６】
【特許文献１】特開２００６−３１９５９７号公報
【特許文献２】特開２００４−０５６３６４号公報
【発明の開示】
【発明が解決しようとする課題】
【０００７】
上述のように、ミニカメラリンクカメラ（ＳＣＬカメラ）が、２本のケーブル（電源用及び信号用）を必要とするのに対し、電源重畳技術は、ケーブル内の１本若しくは複数本の信号線に、それぞれ、信号と電源を重畳させて使用する技術である。しかし、カメラリンクインタフェース若しくはミニカメラリンクインタフェースを用いたシステムではそのままでは使用できない問題があった。また、使用できるように変更した場合、画像処理装置から電力を供給することになる。ＦＡシステムでは、一般的に、画像処理装置とカメラ部とをセットでシステム化する。
【０００８】
しかし、ユーザ側の要求で、セット納入後若しくは設計途中で、カメラ部に供給する電力を大きくする必要が出てくる場合がある、例えば、高画素化、高フレームレート化、又は高画質化、等の要求でカメラを変更する必要が生じた場合である。通常は、カメラ部の大型化につながり、消費電力が大きくなる。この場合、電力を供給する画像処理装置にまだ余裕がある場合は問題ないが、供給する電力が不足することも起こる。無理に供給する電源の電力を上げると、電源が安定しない、ノイズが多い、若しくは容量が不足する、等の問題が起きる。従って、カメラ部の変更に加え、画像処理装置の変更が必要になると、設計のやり直しやコストの増大を招く、即ち、カメラ部の仕様の変更について、ユーザからの要求に対して、容易に対応できない問題があった。
本発明の目的は、上記のような問題を解決し、カメラ部へ供給する電源電力を画像処理装置の変更なしに、自由に変更して供給できる映像伝送システムを提供することにある。
【課題を解決するための手段】
【０００９】
上記の目的を達成するため、本発明の映像伝送システムは、カメラ部と、カメラ部に電源電力を供給する電源供給装置と、カメラ部の出力信号を受信しカメラ部を制御する制御部とを備えた映像伝送システムにおいて、制御部から出力される制御信号は、電源電力供給装置を介してカメラ部を制御するものである。
【００１０】
また、本発明の映像伝送システムは、視野内を撮像して映像信号を出力するカメラ部と、カメラ部に電源電力を供給する電源供給装置と、カメラ部の映像信号を受信し画像処理しかつ上記カメラ部を制御する画像処理装置とを備えた映像伝送システムにおいて、電源供給装置は、信号と電源電力とを伝達する第１のケーブルを経由してカメラ部に電力を供給する電源供給装置であって、カメラ部が取得した映像を第１のケーブルと電源供給装置とを経由して受信し、画像処理装置に伝達する第２のケーブルとを備えたものである。また、好ましくは、画像処理装置はカメラ部を制御する制御信号を第２のケーブル、電源供給装置、及び第１のケーブルを経由しカメラ部に出力するものである。
【発明の効果】
【００１１】
本発明によれば、ＰＣＬカメラに、ノイズのない安定な電力を供給することができる。そしてかつ、ＰＣＬカメラに、ＰＣＬ対応画像処理装置若しくは制御部に依存しない、ＰＣＬカメラの電力容量に応じた電力を供給することができる。
また、ＳＣＬ対応画像処理装置若しくは制御部及びＳＣＬ対応ケーブルを流用することができる。
【発明を実施するための最良の形態】
【００１２】
図２は、本発明の一実施例のＰＣＬカメラを用いた映像伝送システムの構成を示すブロック図である。図２の実施例は、１本のケーブルで電力の供給と信号線の相受を行なう技術、即ち、ＰＣＬカメラを用いた映像伝送システムである。6 はＰＣＬカメラ、7 はＰＣＬケーブル（電源／信号線用）、8 はＰＣＬ対応画像処理装置、8-1 はＰＣＬ対応画像処理装置 8 のＰＣＬ対応画像処理ボードである。
【００１３】
図２において、ＰＣＬ対応画像処理装置 8 は、電源（例えば、ＡＣ電源１００［Ｖ］若しくは２００［Ｖ］又はＤＣ２４［Ｖ］、等）を受け、ＰＣＬカメラ 6 が駆動するための所定の電圧（例えば、ＤＣ１２［Ｖ］）に変換してＰＣＬケーブル 7 を経由してＰＣＬカメラ 6 に電力供給する。電力を供給されたＰＣＬカメラ 6 は、視野内を撮像して画像を取得し、取得した映像信号に変換してＰＣＬケーブル 7 を経由してＰＣＬ対応画像処理装置 8 に出力する。ＰＣＬ対応画像処理装置 8 は、内蔵するＰＣＬ対応画像処理ボード（例えば、フレームグラバーボード）8-1 で画像を取り込み、所定の画像処理を行ない、図示しない表示部に処理結果やその画像を表示する。
【００１４】
また、ＰＣＬ対応画像処理装置 8 は、制御部でもあり、図示しない入出力ユニットをユーザが操作することによって出力される制御信号、若しくは、あらかじめ定められた実行プログラムに従って出力される制御信号を、ＰＣＬケーブル 7 を経由してＰＣＬカメラ 6 に出力する。ＰＣＬカメラ 6 は、入力された制御信号に従って動作する。
ＰＣＬカメラ 6 の制御とは、例えば、シャッタスピード、絞り、ゲインコントロール、ズーム倍率、画質調整、等の他、外部同期信号の入力が考えられる。
【００１５】
上述のように、ミニカメラリンクカメラ（ＳＣＬカメラ）が、２本のケーブル（電源用及び信号用）を必要とするのに対し、ＰＣＬカメラは１本のケーブルで電源の供給と信号の送受信を行なうことができる。しかし、他の問題については解決していない。
即ち、ＰＣＬカメラは、画像処理装置から電源を供給するため、画像処理装置の仕様によっては、（１）電源が安定しない、（２）ノイズを含んだ電力が供給される、（３）電力容量が少ない、などの欠点があり、ユーザからの要求に対して容易に対応ができない。
更に、ＳＣＬ対応の画像処理装置をＰＣＬ対応の画像処理装置に流用できないという欠点がある。そして、一般的にＰＣＬ対応の画像処理装置の方がＳＣＬ対応の画像処理装置より購入コストが高い。
【００１６】
次に、別の本発明の映像伝送システムの一実施例を図３の電源供給装置を用いたシステムの構成を用いて説明する。図３は、本発明の一実施例の電源供給装置を用いたシステムの構成を示すブロック図である。9 はＰＣＬカメラ、10 はＰＣＬケーブル（電源用及び信号線用）、11 はＰＣＬ電源供給装置、12 はＳＣＬケーブル（信号線用）、13 はＳＣＬ対応画像処理装置、13-1 はＳＣＬ対応画像処理ボードである。
【００１７】
図３において、電源（例えば、ＡＣ電源１００［Ｖ］若しくは２００［Ｖ］又はＤＣ２４［Ｖ］、等）を受け、ＰＣＬ電源供給装置 11 は、ＤＣ電源（例えば、ＤＣ１２［Ｖ］）に変換して、ＰＣＬケーブル 10 を経由して、ＰＣＬカメラ 9 に電源電力として供給する。ＰＣＬカメラ 9 は供給された電力によって稼動する。
なお、電源を直接ＰＣＬ電源供給装置 11 に供給せず、例えば、安定化電源当を経由して供給しても良い。
【００１８】
ＰＣＬカメラ 9 は、視野内を撮像して画像を取得し、取得した映像信号に変換してＰＣＬケーブル 10 、ＰＣＬ電源供給装置 11 、及び、ＳＣＬケーブル 12 を経由してＳＣＬ対応画像処理装置 13 に出力する。ＳＣＬ対応画像処理装置 13 は、内蔵する画像処理ボード（例えば、フレームグラバーボード）13-1 で画像を取り込み、所定の画像処理を行ない、図示しない表示部に処理結果やその画像を表示する。
【００１９】
また、ＳＣＬ対応画像処理装置 13 は、制御部であり、図示しない入出力ユニットをユーザが操作することによって出力される制御信号、若しくは、あらかじめ定められた実行プログラムに従って出力される制御信号を、ＳＣＬケーブル 12 、ＰＣＬ電源供給装置 11 、及び、ＰＣＬケーブル 10 を経由してＰＣＬカメラ 9 に出力する。ＰＣＬカメラ 9 は、入力された制御信号に従って動作する。
【００２０】
更に、ＰＣＬ電源供給装置 11 に送信された制御信号の一部は、ＰＣＬ電源供給装置 11 を制御対象として出力され、ＰＣＬ電源供給装置 11 は、ＳＣＬ対応画像処理装置 13 が制御可能である。
【００２１】
図３に実施例に拠れば、ＰＣＬカメラ 9 には、ノイズのない安定な、かつＰＣＬ画像処理装置を必要とせず、ＰＣＬカメラ 9 の電源電力容量に応じた電力を供給することができる。また、ＳＣＬ対応画像処理装置 3、及びＳＣＬ対応ケーブル 2 を流用することができる。
【００２２】
以上のように本発明の一実施例によれば、電源重畳型カメラリンクカメラ（ＰＣＬカメラ）に電力を供給し、かつＰＣＬカメラの映像出力信号を受信および画像処理装置に送信する手段を有することで、ＰＣＬカメラにはノイズが少なく安定で、かつＰＣＬ対応画像処理装置を必要としない、ＰＣＬカメラの電力容量に応じた電力を供給することができる。
また、ＳＣＬ対応画像処理装置及若しくは制御部及びＳＣＬ対応ケーブルを流用することができる。
【００２３】
なお、図３において、ＳＣＬ対応画像処理装置 13 には、図示しない電源から電力の供給を受けて稼動する。
また、更に、図３において、ＳＣＬケーブル 12 に替えて、ＰＣＬケーブル（電源／信号線用）10 を用い、ＰＣＬ電源供給装置 11 からＳＣＬ対応画像処理装置 13 にも電力を供給しても良い。これによって、ＳＣＬ対応画像処理装置 13 についても、電力仕様等を自由に変更可能となる。
【図面の簡単な説明】
【００２４】
【図１】従来のＳＣＬカメラを用いたシステムの構成を示すブロック図。
【図２】本発明の映像伝送システムの一実施例の構成を示すブロック図。
【図３】本発明の映像伝送システムの一実施例の構成を示すブロック図。
【符号の説明】
【００２５】
1：ＳＣＬカメラ、  2：ＳＣＬケーブル（信号線用）、  3：ＳＣＬ対応画像処理装置、  3-1：ＳＣＬ対応画像処理ボード、  4：１２ピンカメラケーブル（電源用）、  5：ジャンクションボックス、  6：ＰＣＬカメラ、  7：ＰＣＬケーブル（電源／信号線用）、  8：ＰＣＬ対応画像処理装置、  8-1：ＰＣＬ対応画像処理ボード、  9：ＰＣＬカメラ、  10：ＰＣＬケーブル（電源用及び信号線用）、  11：ＰＣＬ電源供給装置、  12：ＳＣＬケーブル（信号線用）、  13：ＳＣＬ対応画像処理装置、  13-1：ＳＣＬ対応画像処理ボード。
【図１】
2008312108.tif 000003
【図２】
2008312108.tif 000004
【図３】
2008312108.tif 000005